(57)【特許請求の範囲】
【請求項１】
第１のモジュール電気スイッチング装置（１）および第２のモジュール電気スイッチング装置（２）を備えた電気スイッチング組立体であって、
前記第１のモジュール電気スイッチング装置（１）および前記第２のモジュール電気スイッチング装置（２）は、電気的に接続されるように並んで配置され、
前記第１のモジュール電気スイッチング装置（１）および前記第２のモジュール電気スイッチング装置（２）は、それぞれ、
−電気スイッチング手段（３０）をそれぞれ有する単位スイッチングブロック（８０）を含むスイッチングブロック（１００）と、
−制御手段によって制御される電磁気タイプのアクチュエータを含む、前記単位スイッチングブロック（８０）のためのアクチュエーションブロック（２００）と、を備え、
前記アクチュエーションブロック（２００）は、
−前記電磁気アクチュエータを組み込むアクチュエーションモジュール（２３０）と、
−取り外し可能な第１電気制御モジュール（２５０）および第２電気制御モジュール（２５０）であって、前記制御手段を組み込むとともに、前記電気制御モジュール（２５０）が前記アクチュエーションモジュール（２３０）上に位置付けられたときに、前記電磁気アクチュエータのアクチュエーションコイルと相互に接続されるように意図された適応接続手段を含む取り外し可能な第１電気制御モジュール（２５０）および第２電気制御モジュール（２５０）と、を含み、
−前記アクチュエーションモジュール（２３０）上には、前記第１電気制御モジュール（２５０）または前記第２電気制御モジュール（２５０）が選択的に位置付けられ、
−前記アクチュエーションコイルは、接続ターミナル（２０７）をそれぞれ含む２つの制御巻き線（２０３）を含み、
−前記第１電気制御モジュール（２５０）の前記適応接続手段は、前記接続ターミナル（２０７）と接続されるとともに、２つの前記制御巻き線（２０３）を直列に接続するように構成され、
−前記第２電気制御モジュール（２５０）の前記適応接続手段は、前記接続ターミナル（２０７）と接続されるとともに、２つの前記制御巻き線（２０３）を並列に接続するように構成され、
前記電気スイッチング組立体は、前記第１のモジュール電気スイッチング装置（１）および前記第２のモジュール電気スイッチング装置（２）の２つのベース（１１０）の第２の空洞（１３０）にそれぞれ位置付けられた導電体（３０１）を備えることを特徴とする電気スイッチング組立体。
【請求項２】
前記第１電気制御モジュール（２５０）の前記適応接続手段は、２つの前記制御巻き線（２０３）に直列に接続するように、前記取り外し可能な電気制御モジュール（２５０）のプリント基板（ＰＣＢ）に直接的に組み込まれる電気トラックを含むことを特徴とする請求項１に記載の電気スイッチング組立体。
【請求項３】
前記第２電気制御モジュール（２５０）の前記適応接続手段は、２つの前記制御巻き線（２０３）に並列に接続するように、前記取り外し可能な電気制御モジュール（２５０）のプリント基板（ＰＣＢ）に直接的に組み込まれる電気トラックを含むことを特徴とする請求項１に記載の電気スイッチング組立体。
【請求項４】
前記第１のモジュール電気スイッチング装置（１）および前記第２のモジュール電気スイッチング装置（２）は、それぞれ、前記スイッチングブロック（１００）上に前記アクチュエーションブロック（２００）を取り外し可能に固定することが可能であるとともに、少なくとも１つのカップリングフック（２１４）を含むラピッド固定手段を備え、
前記カップリングフックは、
−前記スイッチングブロック（１００）を前記アクチュエーションブロック（２００）に固定して定着し、
−可動接点（３３）に前記電磁気アクチュエータの移動を伝達するための前記単位スイッチングブロック（８０）の前記可動接点（３３）のアクチュエーション装置（３４）と協働するように意図され、
前記カップリングフック（２１４）は、前記電磁気アクチュエータの可動キーパー（２０２）に定着していることを特徴とする請求項１〜３のいずれか一項に記載の電気スイッチング組立体。
【請求項５】
前記第１のモジュール電気スイッチング装置（１）および前記第２のモジュール電気スイッチング装置（２）は、それぞれ、ケーシング内に、前記スイッチングブロック（１００）の前記単位スイッチングブロック（８０）の接続ライン（４５）の周囲に位置づけられるように意図された電流センサーを含む取り外し可能な熱保護モジュール（４００）を備え、
前記ケーシングは、前記モジュールスイッチング装置に対して取り外し可能であることを特徴とする請求項１〜４のいずれか一項に記載の電気スイッチング組立体。
【請求項６】
前記取り外し可能な熱保護モジュール（４００）は、前記第１電気制御モジュール（２５０）または前記第２電気制御モジュール（２５０）と自動的に接続されるように意図されたコミュニケーションおよび電力供給手段（４０２）を含み、前記コミュニケーションおよび電力供給手段は、取り外し可能な熱保護モジュール（４００）へ電力を供給するとともに前記電流センサーによって行われた測定を伝達するように配設されることを特徴とする請求項５に記載の電気スイッチング組立体。
【請求項７】
前記単位スイッチングブロック（８０）は、前記単位スイッチングブロック（８０）の可動接点（３３）が移動することにより電気接点（３２、３３）の開放を制御するために、前記アクチュエーションブロック（２００）の前記電磁気アクチュエータの可動キーパー（２０２）によって、同期された態様でそれぞれが制御されることを特徴とする請求項１〜６のいずれか一項に記載の電気スイッチング組立体。
【請求項８】
前記カップリングフック（２１４）は、閉じられた位置から開かれた位置への、および逆の場合も同様に、前記可動キーパー（２０２）の移動を前記可動接点（３３）に伝達するために適切な座面をそれぞれ含む第１の縁部および第２の縁部を有する内表面を含むことを特徴とする請求項４に記載の電気スイッチング組立体。
【請求項９】
前記カップリングフック（２１４）の前記内表面の前記第１の縁部は、可動接点ホルダー（３８）のアタッチメントヘッド（５１）を受け入れるように意図されたスロットを含み、前記第１の縁部は、閉じられた位置から、その開かれた位置への移動の第１の方向において、前記可動キーパー（２０２）の移動を前記可動接点（３３）の可動接点ホルダー（３８）に伝達するように意図された座面を含むことを特徴とする請求項８に記載の電気スイッチング組立体。
【請求項１０】
前記第２の縁部は、開かれた位置から、その閉じられた位置への移動の第２の方向において、前記可動キーパー（２０２）の移動を前記可動接点（３３）の前記可動接点ホルダー（３８）に伝達するように意図された座面を含むことを特徴とする請求項９に記載の電気スイッチング組立体。
【請求項１１】
前記第１のモジュール電気スイッチング装置（１）および前記第２のモジュール電気スイッチング装置（２）は、それぞれ、３つの単位スイッチングブロック（８０）を備え、
前記単位スイッチングブロックの前記アクチュエーション装置（３４）は、前記可動接点（３３）を移動することにより電気接点（３２、３３）の開放を制御するために、前記アクチュエーションブロック（２００）によって、同期された態様でそれぞれが制御されることを特徴とする請求項４に記載の電気スイッチング組立体。
【請求項１２】
前記アクチュエーションブロック（２００）は、前記可動キーパー（２０２）に固定されたトレイ（２１１）を含み、前記トレイ（２１１）は、単位スイッチングブロック（８０）の可動接点（３３）に定着された可動接点ホルダー（３８）のスナッグ（５０）のアタッチメントヘッド（５１）とそれぞれ協働するように意図された３つのカップリングフック（２１４）を有することを特徴とする請求項４および７〜１１のいずれか一項に記載の電気スイッチング組立体。
【発明の詳細な説明】
【技術分野】
【０００１】
本発明は、電気スイッチング手段をそれぞれ有する単位スイッチングブロックを含むスイッチングブロックと、制御手段によって制御される電磁気タイプのアクチュエータを含む、単位スイッチングブロックのためのアクチュエーションブロックと、を備えたモジュール電気スイッチング装置に関する。
【０００２】
また、本発明は、本発明による第１のモジュール電気スイッチング装置および第２のモジュール電気スイッチング装置を備えたスイッチング組立体に関する。当該装置は、電気的に接続されるように並んで配置されている。
【背景技術】
【０００３】
多極保護の単位スイッチングブロックおよび／または遮断機、接触器−遮断機および接触器のようなスイッチング装置の使用が知られている。単位スイッチングブロックは多極のケーシングに収納され得る（ＵＳ４６８４７７２）。多極の装置は、一体となったモジュールとなり、３極のスイッチング装置では３回、４極の装置では４回、同じスイッチングブロックが重複され得る。
【０００４】
多くのスイッチングブロックがスイッチング装置のケーシング内に組み立てられたとき、特に、異なるスイッチングブロックの同期制御の問題が生じる。事実上、複雑な現存する解決策は、スイッチングブロックを制御および作動させるための手段で特徴付けられている。複雑な制御手段の使用は、徐々に、信頼性の問題を提起する。
【０００５】
さらに、いくつかのスイッチング装置は、電気制御手段を含む。電気制御手段の使用は、一般に、装置のボリュームや装置の消耗を大いに低減させる。それは、コミュニケーションするための接触器を必要とする。しかしながら、制御手段が制御電子回路によって駆動されて、電力供給されるならば、さらなる問題が現れ得る。実際には、同じ装置に含まれている電子的手段および電気機械的手段に要求されるメンテナンスのレベルおよび期間は、総合的なメンテナンスは容易かつ安価なままであるべきであるものの、同じではない。電気制御手段および結合された電気機械技術の寿命は、アプリケーションに応じてとても異なるのだから尚更である。
【０００６】
このようにして、スイッチング装置のモジュール性は、各人のなす使用にパフォーマンスレベルが真に適している製品を、使用者が得ることができるようにする。このモジュール性の結果は、そのような多極のスイッチング装置の製造の複雑性である。この複雑性は、アーキテクチャの製造の観点および、スイッチング装置のメンテナンスの観点で実在する。
【０００７】
多極のスイッチング装置のモジュール性は、電子熱保護装置のインストールおよび使用にも関連し得る。スイッチング装置のボリュームにおいて取り外し可能な電子熱保護の組み込みは、複雑性の適応手段という代償を払うことで、成し得る。このさらなる複雑性は、多くのスイッチング装置が、特に反転スイッチモードでのインストールにより、モータを制御するために同時に連結されたときに、ますます大きくなり得る。
【発明の概要】
【０００８】
それ故に、本発明は、１つ以上のスイッチングブロックを受容する簡易化されたモジュールのアーキテクチャを備えた、電子制御の電気スイッチ装置を提案することにより、従来技術の欠点を改善することを目的とする。
【０００９】
本発明によるモジュールスイッチング装置のアクチュエーションブロックは、電磁気アクチュエータを組み込むアクチュエーションモジュールと、取り外し可能な電気制御モジュールであって、制御手段を組み込むとともに、当該電気制御モジュールがアクチュエーションモジュール上に位置付けられたときに、電磁気アクチュエータのアクチュエーションコイルと相互に接続されるように意図された適応接続手段を含む取り外し可能な電気制御モジュールと、を含んでいる。アクチュエーションコイルは、接続ターミナルをそれぞれ含む制御巻き線を含んでいる。第１の構造では、取り外し可能な電気制御モジュールの適応接続手段は、接続ターミナルと接続されるように配設されるとともに、制御巻き線に直列に配置されている。第２の構造では、当該適応接続手段は、接続ターミナルと接続されるように配設されるとともに、制御巻き線に並列に配置されている。
【００１０】
第１の特定の実施の形態によれば、適応接続手段は、２つの制御巻き線に直列に接続するように、取り外し可能な電気制御モジュールのプリント基板に直接的に組み込まれる電気トラックを含んでいる。
【００１１】
第２の特定の実施の形態によれば、適応接続手段は、２つの制御巻き線（２３０）に並列に接続するように、取り外し可能な電気制御モジュール（２５０）のプリント基板（ＰＣＢ）に直接的に組み込まれる電気トラックを含んでいる。
【００１２】
好ましくは、モジュール電気スイッチング装置は、スイッチングブロック上にアクチュエーションブロックを取り外し可能に固定することが可能であるとともに、少なくとも１つのカップリングフックを含むラピッド固定手段を備え、カップリングフックは、スイッチングブロックをアクチュエーションブロックに固定して定着し、可動接点に電磁気アクチュエータの移動を伝達するための単位スイッチングブロックの当該可動接点のアクチュエーション装置と協働するように意図されている。当該カップリングフックは、電磁気アクチュエータの可動キーパーに定着している。
【００１３】
好ましくは、モジュール電気スイッチング装置は、ケーシング内に、スイッチングブロックの単位スイッチングブロックの接続ラインの周囲に位置づけられるように意図された電流センサーを含む取り外し可能な熱保護モジュールを備え、当該ケーシングは、モジュールスイッチング装置に対して取り外し可能である。
【００１４】
有利には、取り外し可能な熱保護モジュールは、取り外し可能な電気制御モジュールと自動的に接続されるように意図されたコミュニケーションおよび電力供給手段を含み、当該コミュニケーションおよび当該電力供給手段は、取り外し可能な熱保護モジュールへ電力を供給するとともに電流センサーによって行われた測定を伝達するように配設されている。
【００１５】
好ましくは、単位スイッチングブロックは、単位スイッチングブロックの可動接点が移動することにより電気接点の開放を制御するために、アクチュエーションブロックの電磁気アクチュエータの可動キーパーによって、同期された態様でそれぞれが制御されている。
【００１６】
一実施の形態によれば、カップリングフックは、閉じられた位置から開かれた位置への、および逆の場合も同様に、可動キーパーの移動を可動接点に伝達するために適切な座面をそれぞれ含む第１の縁部および第２の縁部を有する内表面を含んでいる。
【００１７】
有利には、カップリングフックの内表面の第１の縁部は、可動接点ホルダーのアタッチメントヘッドを受け入れるように意図されたスロットを含み、当該第１の縁部は、閉じられた位置から、その開かれた位置への移動の第１の方向において、可動キーパーの移動を可動接点の可動接点ホルダーに伝達するように意図された座面を含んでいる。
【００１８】
有利には、第２の縁部は、開かれた位置から、その閉じられた位置への移動の第２の方向において、可動キーパーの移動を可動接点の可動接点ホルダーに伝達するように意図された座面を含んでいる。
【００１９】
モジュール電気スイッチング装置の発展の特定のモードによれば、モジュール電気スイッチング装置は、３つの単位スイッチングブロックを備え、当該ブロックのアクチュエーション装置は、可動接点が移動することにより電気接点の開放を制御するために、アクチュエーションブロックによって、同期された態様でそれぞれが制御されている。
【００２０】
好ましくは、アクチュエーションブロックは、可動キーパーに固定されたトレイを含み、当該トレイは、単位スイッチングブロックの可動接点に定着された可動接点ホルダーのスナッグのアタッチメントヘッドとそれぞれ協働するように意図された３つのカップリングフックを有している。
【００２１】
本発明による電気スイッチング組立体は、２つのモジュール接触器の２つのベースの第２の空洞にそれぞれ位置付けられた導電体を備えている。
【００２２】
他の利点および特徴は、非限定的な例を与えると共に添付の図面で示しながら、以下の本発明の特定の実施の形態からより一層明らかになる。
【図面の簡単な説明】
【００２３】
【図１】図１は、本発明によるモジュール電気スイッチング装置を示す斜視図である。
【図２】図２は、組立中の、図１によるモジュール電気スイッチング装置を示す斜視図である。
【図３】図３は、非組立位置における、図２によるスイッチングブロックおよびアクチュエーションブロックを示す断面図である。
【図４】図４は、組立中の位置における、図２によるスイッチングブロックおよびアクチュエーションブロックを示す断面図である。
【図５Ａ】図５Ａは、図１によるモジュール電気スイッチング装置のアクチュエーションブロックを示す分解斜視図である。
【図５Ｂ】図５Ｂは、図５Ａによるモジュール電気スイッチング装置のアクチュエーションブロックを示す斜視図である。
【図６Ａ】図６Ａは、本発明による接触圧縮行程を設定するための方法の工程中の、単位スイッチングブロックを示す断面図である。
【図６Ｂ】図６Ｂは、本発明による接触圧縮行程を設定するための方法の工程中の、単位スイッチングブロックを示す斜視図である。
【図７Ａ】図７Ａは、本発明による接触圧縮行程を設定するための方法の工程中の、単位スイッチングブロックを示す断面図である。
【図７Ｂ】図７Ｂは、本発明による接触圧縮行程を設定するための方法の工程中の、単位スイッチングブロックを示す斜視図である。
【図８Ａ】図８Ａは、本発明による接触圧縮行程を設定するための方法の工程中の、単位スイッチングブロックを示す断面図である。
【図８Ｂ】図８Ｂは、本発明による接触圧縮行程を設定するための方法の工程中の、単位スイッチングブロックを示す斜視図である。
【図９Ａ】図９Ａは、閉鎖の位置における、単位スイッチングブロックを示す断面図である。
【図９Ｂ】図９Ｂは、開放の位置における、単位スイッチングブロックを示す断面図である。
【図１０Ａ】図１０Ａは、取付中の、本発明によるモジュール電気スイッチング装置を示す部分断面図である。
【図１０Ｂ】図１０Ｂは、取付中の、本発明によるモジュール電気スイッチング装置を示す部分断面図である。
【図１１】図１１は、本発明によるスイッチングブロックの単位スイッチングブロックの特定の実施の形態の２つの組み立てられた半殻を示す。
【図１２】図１２は、組立中の、図１１によるスイッチングブロックの２つの半殻を示す。
【図１３】図１３は、本発明の一実施の形態によるスイッチングブロックのベースを示す斜視図である。
【図１４】図１４は、本発明によるスイッチングブロックの単位スイッチングブロックの、他の実施の形態の２つの組み立てられた半殻を示す。
【図１５】図１５は、組立中の、図１４によるスイッチングブロックの２つの半殻を示す。
【図１６】図１６は、一実施の形態によるスイッチングブロックを示す部分断面での斜視図である。
【図１７】図１７は、単位スイッチングブロックのスイッチング手段の異なる特定の実施の形態を示す斜視図である。
【図１８】図１８は、単位スイッチングブロックのスイッチング手段の異なる特定の実施の形態を示す斜視図である。
【図１９】図１９は、反転スイッチタイプモードにおけるモータの上流部に配置された２つのスイッチング装置を示す配線図である。
【図２０】図２０は、非機能的な実施の形態による図１９に示す配線図である。
【図２１】図２１は、反転スイッチタイプモードで配線された２つのスイッチング装置を示す斜視図である。
【図２２】図２２は、反転スイッチタイプモードで配線された２つのスイッチング装置を示す斜視図である。
【図２３】図２３は、反転スイッチタイプモードで配線された２つのスイッチング装置を示す側面斜視図である。
【図２４】図２４は、反転スイッチタイプモードで配線された２つのスイッチング装置を示す側面斜視図である。
【図２５】図２５は、反転スイッチタイプモードで配線された２つのスイッチング装置を示す側面斜視図である。
【図２６】図２６は、反転スイッチタイプモードにおける２つのモジュールスイッチング装置を連結するために使用されるリンクバーを示す斜視図である。
【図２７】図２７は、反転スイッチタイプモードにおける２つのモジュールスイッチング装置を連結するために使用されるリンクバーを示す斜視図である。
【図２８Ａ】図２８Ａは、本発明を発展させた第１の特定のモードにおける補助接点ブロックを示す斜視図である。
【図２８Ｂ】図２８Ｂは、本発明を発展させた第１の特定のモードにおける補助接点ブロックを示す斜視図である。
【図２９Ａ】図２９Ａは、本発明を発展させた第２の特定のモードにおける補助接点ブロックを示す斜視図である。
【図２９Ｂ】図２９Ｂは、本発明を発展させた第２の特定のモードにおける補助接点ブロックを示す斜視図である。
【図３０Ａ】図３０Ａは、図２９Ａおよび図２９Ｂによる補助接点ブロックの制御手段の変形例を示す斜視図である。
【図３０Ｂ】図３０Ｂは、図２９Ａおよび図２９Ｂによる補助接点ブロックの制御手段の変形例を示す斜視図である。
【図３１Ａ】図３１Ａは、本発明によるモジュールスイッチング装置のアクチュエーションブロックの可動組立体２２０の変形例を示す斜視図である。
【図３１Ｂ】図３１Ｂは、本発明によるモジュールスイッチング装置のアクチュエーションブロックの可動組立体２２０の変形例を示す斜視図である。
【発明を実施するための形態】
【００２４】
図１に示すように、本発明によるモジュール電気スイッチング装置１は、アクチュエーションブロック２００と結合されたスイッチングブロック１００を備えている。モジュール電気スイッチング装置１は、好ましくは、接触器である。接触器、スイッチング装置またはモジュール電気スイッチング装置との用語は、以下では区別なく使用される。
【００２５】
本発明の優先的な実施の形態によれば、本発明によるモジュール接触器１は、アクチュエーションブロック２００がスイッチングブロック１００上に取り外し可能に固定されることを可能にするラピッド固定手段を含んでいる。
【００２６】
さらに、図１０Ａおよび図１０Ｂに示すように、本発明のこの優先的な実施の形態によれば、アクチュエーションブロック２００は、取り外し可能な電気制御モジュール２５０に接続されたアクチュエーションモジュール２３０を含んでいる。
【００２７】
取り外し可能な電気制御モジュール２５０は、制御電子回路によって、電力を供給された電気制御手段を含み得る。取り外し可能な電気制御モジュール２５０または取り外し可能な電子制御モジュール２５０との用語は、以下では区別なく使用されている。
【００２８】
アクチュエーションモジュール２３０は、知られた態様で電磁気タイプのアクチュエータを含んでいる。そのアクチュエータは、より具体的には、固定されたヨーク２０１と、開かれた位置と閉じられた位置との２つの位置の間に、固定されたヨーク２０１に対して移動されることに適切な可動キーパー２０２と、を含んでいる。また、電磁気アクチュエータは、アクチュエーションコイルを含んでおり、このアクチュエーションコイルは、制御電流が流れたときに、開かれた位置から閉じられた位置に、可動キーパー２０２を移動させることができる。
【００２９】
復元ばね２０４は、閉じられた位置から開かれた位置に可動キーパー２０２を移動させ得る。図３および図４に示すように、特定の実施の形態によれば、復元ばね２０４は、回転レバー２０５を介して可動キーパー２０２に作用している。
【００３０】
図５Ａおよび図５Ｂに示すように、アクチュエータの発展の優先的なモードによれば、固定されたキーパー２０１は、２つの外側ブランチと、外側ブランチの第１の端部に定着された横キーパーと、を含んだＵ字形の部分を含んでいる。アクチュエータは、好ましくは、電気的に連結された２つの制御巻き線２０３を含んだアクチュエーションコイルを含んでいる。２つの巻き線は、Ｕ字形の磁気ヨークの外側ブランチの軸と実質的に同化した長手方向の軸をそれぞれ含んでいる。実際には、当該制御巻き線２０３は、磁気ヨーク２０１の外側ブランチに配置された絶縁フィールドフレームに巻かれている。２つの制御巻き線２０３は、優先的に同一である。
【００３１】
図５Ａおよび図５Ｂに示すように、本発明の実施の形態によれば、復元ばね２０４は、閉じられた位置から開かれた位置に、可動組立体２２０を移動することに適している。図５Ｂに示すように、可動組立体２２０は、トレイ２１１に位置付けられたアクチュエータの可動キーパー２０２を含んでいる。復元ばねは、トレイ２１１に定着されている多機能のレバー２１５に作用している。当該多機能のレバー２０５は、摩擦を減少させている間に３つの電力極の同時閉鎖を可能にするために、可動キーパー２０２の平衡度を管理するために配設されている。
【００３２】
図２９Ａおよび図２９Ｂに示すように、多機能のレバー２０５は、また、補助接点ブロックを駆動し、モジュール電気スイッチング装置１の前面に表示を与え得る。
【００３３】
図３１Ａおよび図３１Ｂに示すように、多機能のレバー２０５は、２つの方法で制御され得る。図３１Ａ示すように、ねじりばね２０６は、動作位置に維持されるようになっている。図３１Ｂに示すように、圧縮ばねは、動作位置に維持されるようになっている。
【００３４】
アクチュエータは、また、好ましくは、Ｕ字形の磁気ヨークの外側ブランチ上に固定された極プレート２１５を含んでいる。当該プレートは、アクチュエータの磁気的挙動を向上させ得る。
【００３５】
アクチュエータは、単安定（ｍｏｎｏｓｔａｂｌｅ）または双安定（ｂｉｓｔａｂｌｅ）タイプと成り得る。双安定タイプの場合、当該アクチュエータは、好ましくは２つの極プレート２１５の間に配置された少なくとも１つの永久磁石を含んでいる。
【００３６】
図示しない本発明の発展の一のモードによれば、磁気ヨーク２０１は、Ｅ字形部分を含んでおり、このＥ字形部分は、２つの外側ブランチと、少なくとも１つの中央ブランチと、外側ブランチおよび中央ブランチの第１の端部に定着された横キーパーと、を有している。可動キーパーは、外側ブランチの第２の端部に向けて配置されており、並進で移動する。可動キーパーは、また、Ｅ字形部分を含んでおり、このＥ字形部分は、２つの外側ブランチと、少なくとも１つの中央ブランチと、外側ブランチおよび中央ブランチの第１の端部に定着された横キーパーと、を有している。制御コイルは、Ｅ字形の磁気ヨークの中央ブランチの軸と実質的に同化した長手方向の軸を含んでいる。実際には、当該制御コイルは、磁気ヨークの中央ブランチに配置された絶縁フィールドフレームに巻かれた巻き線を含んでいる。
【００３７】
アクチュエータは、アクチュエーションモジュール２３０のケーシング内に位置付けられている。アクチュエーションコイルの制御巻き線２０３は、取り外し可能な電気制御モジュール２５０の適応接続手段と接触するように意図された接続ターミナル２０７を含んでいる。図５Ｂに特に示すように、各制御巻き線２０３は、２つの接続ターミナル２０７を含んでいる。
【００３８】
図２８Ａに示すように、第１の典型的な実施の形態によれば、２つの制御巻き線２０３の４つの接続ターミナル２０７は、好ましくは整列されている。図５Ｂに示すように、第２の典型的な実施の形態によれば、２つの制御巻き線２０３の４つの接続ターミナル２０７は、好ましくは、斜めに配設されている。ターミナル２０７のこれらの２つの配設は、取り外し可能な電気制御モジュール２５０の異なる構造に、特に適応し得る。
【００３９】
本発明の、この優先的な実施の形態によれば、取り外し可能な電気制御モジュール２５０は、制御電子回路によって電力を供給された電気制御手段を含んでいる。その結果、取り外し可能な電気制御モジュール２５０は、広い電力供給電圧範囲でのアクチュエータの反復的で一定な動作を確保するように意図されている。当該取り外し可能な電気制御モジュールは、アクチュエーションモジュール２３０のケーシング上に位置付けられて固定されている。当該ケーシング上に位置付けられたとき、制御巻き線２０３の接続ターミナル２０７は、取り外し可能な電気制御モジュール２５０の適応接続手段と自動的に相互に接続される。優先的な実施の形態によれば、適応接続手段は、取り外し可能な電気制御モジュール２５０のプリント基板ＰＣＢ上に直接的に組み込まれている。使用されている電子制御手段のバージョンおよびモジュール接触器の制御電圧に応じて、アクチュエータの磁気ヨーク２０１の２つの外側ブランチに抜け目なく（ｓｈｒｅｗｄｌｙ）分配された２つの制御巻き線２０３の間の接続は、直列または並列で成され得る。適応接続手段は、取り外し可能な電気制御モジュール２５０のアクチュエーションモジュール２３０への接続のときに、２つの制御巻き線２０３の直列または並列な接続を可能にしている。適応接続手段は、このようにして、全てのアプリケーションに共通したアクチュエーションコイルを保持している間のアプリケーションのニーズについて広く適応することを可能にしている。
【００４０】
適応接続手段の第１の特定の実施の形態によれば、取り外し可能な電気制御モジュール２５０のプリント基板（ＰＣＢ）は、制御巻き線２０３のターミナル２０７に直列に接続するために設計および構成された電気トラックを含んでいる。
【００４１】
適応接続手段の第２の特定の実施の形態によれば、取り外し可能な電気制御モジュール２５０のプリント基板（ＰＣＢ）は、制御巻き線２０３のターミナル２０７に並列に接続するために設計および構成された電気トラックを含んでいる。制御巻き線２０３のための制御命令および電力供給は、これらの接続ターミナル２０７を通る。
【００４２】
この取り外し可能な電気制御モジュール２５０は、目標とされているアプリケーションに応じて（特にネットワーク電圧に応じて）、多くの変形を含み得る。当該モジュールは、好ましくは、接触器または熱保護が装備された接触器（スターター）に、最後に取り付けられている。このようにして、インストールされるための電子制御モジュールの最終的な選択は、インストーラが遅延差別化（ｄｅｌａｙｅｄ  ｄｉｆｆｅｒｅｎｔｉａｔｉｏｎ）をすることを可能にしている。また、この取り外し可能な電気制御モジュール２５０は、例えば、インストールの管理コンピュータまたは構造ツールを含むコミュニケーションを可能にする。
【００４３】
本発明による接触器１のスイッチングブロック１００は、１つ以上の電極を含んでいる。図１および図２に示す実施の形態によれば、接触器は３つの電極を含んでおり、それ故に、３極接触器と呼ばれている。通常スイッチングバルブとも呼ばれる単位スイッチングブロック８０は、各電極と結合されている。３つの単位スイッチングブロック８０は、単位スイッチングブロック８０のアクチュエーション装置３４に作用するアクチュエーションブロック２００によって、同期された態様で制御されている。
【００４４】
特定の実施の形態によれば、スイッチングブロックは、同期されかつ同時に行われる態様で制御され得る。言い換えれば、全てのブロックは、同時に移動されている。
【００４５】
特定の実施の形態によれば、スイッチングブロックは、同期されかつ非同時に行われる態様で制御され得る。言い換えれば、全てのブロックは、アクチュエーションブロックの作用の効力によって移動されるが、各ブロックの移動の間に時間オフセットが観測されている。この時間オフセットは、再現可能であり、制御されている。
【００４６】
図１２および図１５に示すように、本発明による単位スイッチングブロック８０は、２つの半殻８０Ａにより形成されたケーシング３１を含んでいる。ケーシング３１の２つの半殻８０Ａは、好ましくは、成型されたプラスチック材料で作製されている。電気接点は、ケーシング３１の内側に位置付けられている。半殻８０Ａは組み立てられて、基準ＸＺの長手方向の平面に発展する実質的に平行六面体形状の組立体を形成している。
【００４７】
特定の実施の形態によれば、ケーシング３１を形成している２つの半殻８０Ａは、好ましくは、同一の形状である。例として、「同一の形状」とは、２つの半殻が、好ましくは、鋳造により作られ、同一の金型から得られている、ということを意味しているものと理解されるべきである。これは、単一の変形部（ｖａｒｉａｎｔ  ｐａｒｔ）および単一の投資を管理するといった産業上の利点を提示している。ケーシング３１は、長手方向の平面ＸＺに平行に配設された２つの主面８１を含んでいる。当該ケーシングは、さらに、２つの側部面８２と、上面８３と、底面８４と、を含んでいる。
【００４８】
図１６および図１７に示すように、単位スイッチングブロック８０は、接続ランド４５によって電気接続ターミナルブロック５００にそれぞれ連結された２つの固定接点３２から成る電気スイッチング手段３０を含んでいる。２つの固定接点３２は、電気接触領域３７をそれぞれ含んでいる。電気スイッチング手段３０は、ケーシング３１の内部ボリューム内に位置付けられている。内部ボリュームは、２つの半殻８０Ａによって区切られている。
【００４９】
電気スイッチング手段３０は、さらに、長手方向の軸Ｘに沿った細長い本体を含むブリッジ形状の可動接点３３を含んでいる。この実施の形態によれば、可動接点ブリッジ３３は、２つの接触領域３６が位置付けられた２つの端部を含み、各接触領域３６の各々は、スイッチング手段の閉鎖の位置で固定接点３２の接触領域３７に協働し得る。
【００５０】
「可動接点」または「可動接点ブリッジ」との用語は、以下の説明では区別されない。
【００５１】
この閉鎖の位置では、特にらせんばねのような弾性手段２５は、接触領域３６と接触領域３７との間において、良い状態で電流の確立および流れを保証するために十分な接触圧力を確保し得る。弾性手段２５は、一般にポールスプリングと呼ばれている。この接触圧力は、過度の過熱のない電流の永続的な流れのために提供されており、かつ、十分な電気耐久性を保証するために提供されている。
【００５２】
２つの開放ボリューム３５は、固定接点３２の接触領域３７、および可動接点３３に結合された接触領域３６が配設された空間に対応するように画定されている。さらに、各開放ボリューム３５は、消弧室に結合されている。開放ボリューム３５上で開放している消弧室は、長手方向の幾何学的な基準平面ＸＺのどちらかの側方に配置された２つの平行な壁と、開放ボリューム３５から離れた後壁と、底壁と、上壁と、によって区切られている。
【００５３】
消弧室の実施の形態によれば、当該消弧室は、長手方向の幾何学的な基準平面ＸＺに垂直な、少なくとも２つの平らな金属プレート４０のスタックを含んでいる。フィンと呼ばれるこれらの金属プレートは、アークからイオンを除去するように意図されている。金属プレート４０は、好ましくは、強磁性の材料で作製されている。当該フィンは、アーク上に強磁性の引力を発揮する傾向がある。当該フィンは、実質的に長方形の形状であり、長手方向の軸と、中央軸と、を含んでいる。
【００５４】
図１８に示すように、消弧室の他の実施の形態によれば、当該室は、強磁性の材料の２つのフランジ６８によって区切られている。２つの側部平面６８は、平行であり、中央長手方向の平面ＸＺの両側に配置されている。２つの側部フランジ６８は、開放の位置と閉鎖の位置との間の全体の移動にわたって、可動ブリッジ３３の端部の１つに嵌まるように配設されている。言い換えれば、２つの側部フランジ６８は、可動接点ブリッジ３３の移動を可能にするために、互いから離れて離間されている。当該フランジ６８の内壁は、絶縁材料の層を含んでいる。フランジ６８上の絶縁材料の層の位置は、当該フランジ６８の内壁上のアークのアタッチメントを回避し得る。これらの層は、好ましくは、ガゾゲン材料（ｍａｔｅｒｉａｕ  ｇａｚｏｇｅｎｅ）により作製されている。
【００５５】
消弧室は、また、平面ＸＺに垂直に配置されている後壁７２によって区切られている。当該後壁は、接触領域３６、３７の開放ボリュームとは反対側に位置付けられるために、開放ボリューム３５から離れている。後壁７２は、実質的にＵ字形金属組立体を形成するために、２つの側部フランジ６８を連結している。後壁７２は、それらの高さの一部を越えて２つのフランジを連結している。
【００５６】
好ましくは、２つの側部フランジ６８は、可動接点ブリッジ３３の接触領域３６に全体が嵌まるように、中央長手方向の平面ＸＺに平行な方向に延びている。より詳細には、２つの側部フランジ６８は、消弧室２４の内側に、可動接点ブリッジ３３の接触領域３６を完全に囲むように延びている。言い換えれば、電気接点の開放のときに、イオン化した粒子の流出を導くために、フランジの縦方向の発展は、各開放ボリューム３５を横方向に閉じ得る。
【００５７】
各消弧室２４の壁は、上端に金属バッフル６９を含み得る。図１８に示すように、当該バッフルは、当該消弧室の金属壁の上端の一部を形成するために、電気的に固定接点３２を後壁７２に連結している。
【００５８】
変形例によれば、可動接点ブリッジ３３は、２つの端部の各々に、アークホーン３９を含んでいる。アークホーンは、接触領域を越えて、消弧室の後壁７２に向かって延びている。典型的な実施の形態として、アークホーン３９は、可動接点ブリッジ３３の長手方向の軸Ｘに対して傾斜している。
【００５９】
単位スイッチングブロック８０のケーシング３１は、接触器１のスイッチングブロック１００のベース１１０に位置付けられるように意図されている。ベース１１０は、単位スイッチングブロック８０が位置付けられた第１の空洞１２０を有した内面を含んでいる。ケーシング３１の底面８４は、その結果、ベース１１０の第１の空洞１２０に向けて位置付けられている。主面８１は、ベース１１０の分離隔壁１１１に取り付けられている。分離隔壁１１１は、ベース１１０の外縁部に位置付けられ、このようにして、モジュール電気スイッチング装置１の壁が形成されている。
【００６０】
ベース１１０は、単位スイッチングブロック８０とそれぞれ協働するように意図されている少なくとも３つの区画を有する第１の空洞１２０を含んでいる。各単位スイッチングブロック８０は、ベース１００と協働し、ベースの外部への騒音やイオン化ガスなしにスイッチングを可能にしている消弧ガス（ｅｘｔｉｎｇｕｉｓｈｉｎｇ  ｇａｓｅｓ）のための、少なくとも１つの流出経路を作る。
【００６１】
図１１乃至図１３に示すように、単位スイッチングブロックの特定の実施の形態によれば、本発明による２つの半殻は、消弧ガスのための２つの流出経路を区切るために、モジュール電気スイッチング装置１のベース１１０の第１の空洞１２０の区画と協働するように意図されている。各流出経路は、その結果、半殻８０Ａに作られた開口８６によって、ケーシング３１の内部ボリュームと連結されている。半殻は、消弧ガスのための流出経路を区切るために、モジュール電気スイッチング装置１のベース１１０の第１の空洞１２０の区画と協働するように意図されたリブ８５を含んでいる。
【００６２】
図１１乃至図１３に示すように、第１の変形例によれば、互いに組み立てられた２つの半殻８０Ａのリブ８５は、接触面において、ケーシング３１の底面８４上に底リブ８０５を形成している。底リブ８０５は、長手方向の平面ＸＺに平行な方向に発展している。当該リブは、消弧ガスのための２つの流出経路を区切るために、モジュール電気スイッチング装置１のベース１１０の第１の空洞１２０と協働するように意図されており、各経路は、半殻８０Ａに作られた開口８６によって、ケーシング３１の内部ボリュームに連結されている。実際には、単位スイッチングブロック８０のケーシング３１は、モジュール電気スイッチング装置１のベース１１０に位置付けられるように意図されている。ケーシング３１の底面８４は、その結果、ベース１１０の第１の空洞１２０に向けて位置付けられている。より具体的には、ケーシング３１の底面８４に存在している底リブ８０５は、空洞１２０とともに、消弧ガスのための２つの流出経路を区切っている。各経路は、半殻８０Ａに作られている開口８６によって、ケーシングの内部ボリュームに連結されている。特定の実施の形態によれば、開口８６は、好ましくは、ケーシング３１の底面８４を通過している。より詳細には、各半殻８０Ａは、出現した開口８６をそれぞれ含んでいる。消弧ガスの外部の発現を効果的に減少させるために、穴に貫通したフィルタリングブロックが、各流出経路に配置されている。典型的な実施の形態として、グリル８７が、ケーシング３１の出現した開口８６の上に配置されている。底リブ８０５は、好ましくは、底面８４に対して突出している。この特定の実施の形態によれば、ベース１１０の第１の空洞１２０の各区画は、窪んだリブ１２１を含んでいる。ケーシング３１から飛び出している底リブ８０５は、その結果、２つの区別できる流出経路を区切るようにモジュール電気スイッチング装置１にスイッチングブロック８０を位置付けたとき、ベース１１０の第１の空洞１２０の窪み部に配置されるように配設されている。底リブ８０５は、凸形状および／または凹形状の部分を含んでいる。このようにして、単位スイッチングブロック８０の底面８４は、この経路に沿ってガスの流出経路の断面を調節し得る形状を有し、膨張領域と圧縮領域とを交互に繰り返す。膨張領域と圧縮領域との交代は、排気口経路での発現（ｍａｎｉｆｅｓｔａｔｉｏｎ）の量を減少させ得る。第１の空洞１２０の各区画は窪んでおり、消弧ガスのための流出経路が、単位スイッチングブロック８０の底面８４の一部によって形成された壁と、モジュール電気スイッチング装置のベース１１０の一部によって形成された壁と、を含んでいる。第１の空洞１２０の各区画は、単位スイッチングブロック８０のケーシング３１の底面８４に向けて配置されるように意図されている面上に設けられている。当該面は、当該ケーシングから飛び出した底リブ８０５が、２つの区別できる流出経路を区切るために配置されるように意図された窪み領域１２１を含んでいる。さらに、ベース１１０の第１の空洞１２０の各区画は、ガスのための２つの流出穴１２２が形成されている壁を含んでいる。各穴１２２は、流出経路の１つに連結されている。
【００６３】
図１４および図１５に示すように、第２の変形例によれば、２つの半殻は、それらの主面８１上にリブ８５をそれぞれ含んでいる。リブ８５は、好ましくは、主面８１に対して後退させられている。ケーシング３１は、長手方向の平面ＸＺに平行な方向に発展している２つのリブ８５を含んでいる。当該リブは、モジュール電気スイッチング装置１のベース１１０の第１の空洞１２０と協働するように意図されている。各経路は、半殻８０Ａに作られた開口８６によって、ケーシングの内部ボリュームに連結されている。特定の実施の形態によれば、開口８６は、好ましくは、ケーシング３１の底面８４を通過している。より詳細には、各半殻８０Ａは、出現した開口８６を含んでいる。
【００６４】
さらに、ベース１１０は、フレームまたはドイツ工業規格レールタイプ（ＤＩＮ  ｒａｉｌ  ｔｙｐｅ）の固定レールと協働するように意図された外面を含んでいる。
【００６５】
一実施の形態によれば、外面は、壁によって区切られた内部ボリュームを有する第２の空洞１３０を含んでいる。当該第２の空洞１３０は、このようにして、当該ベース１１０の外面と、スイッチングブロック８０の位置付けのために意図された第１の空洞１２０との間に位置付けられている。
【００６６】
本発明の一発展モードによれば、第２の空洞１３０は、モジュール接触器１の主壁内にそれぞれ出現した第１の開口と、モジュール接触器１の接続ランド４５に近接して出現した第２の接続開口１３２と、を含んでいる。
【００６７】
典型的な実施の形態として、第２の空洞１３０の第１の開口は、好ましくは、ベース１１０の破砕可能な壁で作られている。モジュール電気スイッチング装置の使用に応じて、破砕可能な部分は取り外され、または、取り外されない。図１および図２に示すように、第１の実施の形態によれば、破砕可能な一部は取り外されていない。図２１および図２２に示すように、ベース１１０の破砕可能な部分は、導電体３０１のための通路を残すために、スイッチング装置の２つの主面で取り外されている。
【００６８】
第１および第２の開口は、第１のモジュール接触器１の少なくとも１つの電極を、第１に対して配置された第２のモジュール接触器２の電極に連結する導電体３０１の通路を可能にしている。
【００６９】
図２１乃至図２５に示す一実施の形態によれば、第２の空洞１３０の内部ボリュームは、実質的に平行六面体形状であり、モジュール接触器１、２の外面上に開かれた面を有している。
【００７０】
図２１乃至図２７に示すように、第１の特定の実施の形態によれば、第２の空洞１３０は、単位スイッチングブロック８０の接続ランド４５で出現した少なくとも１つの接続開口１３２を含んだ縁部を有する、少なくとも１つの経路を含んでいる。当該少なくとも１つの経路は、長手方向の平面ＸＺと実質的に垂直な方向に延びており、当該ベースの両側方で出現するベース１１０を完全に通過している。典型的な実施の形態として、当該少なくとも１つの経路は、２つの実質的に平行な縁部を有する実質的に平行六面体のボリュームを含んでいる。
【００７１】
好ましくは、第２の空洞１３０は、互いに平行に配設された２つの実質的に同一な経路を含んでいる。経路は、平行六面体形状をそれぞれ有している。各経路の内部ボリュームは、その結果、モジュール接触器１、２の主壁内にそれぞれ出現した第１の開口と、モジュール接触器１、２の接続ランド４５に近接して出現した第２の接続開口１３２と、を含んでいる。さらに、２つの経路は、隔壁によって分離されている。当該隔壁は、下流部から上流部を分離するように意図されている。当該隔壁は、ドイツ工業規格レールタイプの固定レールと協働するように意図され得る。このようにして、第２の空洞１３０が２つの経路を含むとき、各経路の２つの縁部の一方のみが、接続開口１３２を含んでいる。第１の経路の第２の接続開口１３２は、モジュール接触器１、２の接続ランド上流部に近接して出現しており、第２の経路１３０の第２の接続開口１３２は、モジュール接触器１、２の接続ランド上流部に近接して出現する。
【００７２】
第２の空洞１３０が平行六面体形状の単一の経路を含むとき、接続開口１３２は、経路の２つの平行な縁部に配設されており、各縁部は、反転バー（ｒｅｖｅｒｓｉｎｇ  ｂａｒ）セットのうちの反転バーの１つによって通過されることに適した接続開口をそれぞれ含んでいる。
【００７３】
図示しない第２の特定の実施の形態によれば、第２の空洞１３０は、ベース１１０の側面においてそれぞれ切断された２つのスロットを含んでいる。これらのスロットは、単位スイッチングブロック８０の接続ランド４５でそれぞれ出現している。各スロットは、１つ以上の反転バー３０１を含んだ完全な反転バーセット３００を受け入れるように意図されている。
【００７４】
図１に示すように、モジュール電気スイッチング装置１は、さらに、特には熱の、１つ以上の障害検出装置を含んでいる。検出装置は、アクチュエータを介して電気接点の開放を制御するために、アクチュエーションブロック２００に連結されている。図１に示すように、本発明の実施の形態によれば、モジュール電気スイッチング装置１は、取り外し可能な熱保護モジュール４００を含んでいる。
【００７５】
図１および図２に示すように、本発明による取り外し可能な熱保護モジュール４００は、環状形状の１つ以上の電流センサーが位置付けられたケーシングを含んでいる。当該センサーは、スイッチングブロック１００の単位スイッチングブロック８５の接続ランド４５の周囲に位置付けられるように意図されている。電流センサーは、ロゴスキー（Ｒｏｗｇｏｓｋｉ）タイプであり得る。図１および図２に示す特定の実施の形態よれば、取り外し可能な熱保護モジュール４００は、３極モジュール接触器に適応されており、このようにして、３つの単極スイッチングブロック８５の接続ランド４５に適合することによって位置付けられることを可能にした３つの開口４０１を含んでいる。図２に示すように、取り外し可能な熱保護モジュール４００は、スイッチングブロック１００と接続ターミナルブロック５００との間に挿入されるように、モジュール接触器１に組み込まれるといった特定の特徴を有している。
【００７６】
本発明による取り外し可能な熱保護モジュール４００は、個別の電力供給手段を有していない、といった特定の特徴を有している。本発明の優先的な実施の形態によれば、取り外し可能な熱保護モジュール４００は、アクチュエーションブロック２００の取り外し可能な電気制御モジュール２５０と自動的に接続されるように意図されたコミュニケーションおよび電力供給手段４０２を含んでいる。このようにして、これらのコミュニケーションおよび電力供給手段４０２は、取り外し可能な熱保護モジュール４００へ電力を供給するとともに電流センサーによって行われた測定を伝達するように適している。本発明のこの実施の形態によれば、アクチュエーションブロック２００のケーシング上の取り外し可能な電気制御モジュール２５０の位置付けは、取り外し可能な熱保護モジュール４００の電流センサーと、取り外し可能な電気制御モジュール２５０の電流センサーとの間での、自動的な接続および電力供給を可能にしている。
【００７７】
本発明の優先的な実施の形態によれば、アクチュエーションブロック２００をスイッチングブロック１００にラピッドに固定するための手段は、アクチュエーションブロック２００の可動キーパー２０２に定着された第１の部分と、スイッチングブロック１００に定着された第２の部分と、を含んでいる。
【００７８】
ラピッド固定手段は、スイッチングブロック１００をアクチュエーションブロック２００に固定し、定着するように意図された、少なくとも１つのカップリングフック２１４を含んでいる。
【００７９】
当該カップリングフック２１４は、電磁気アクチュエータの可動キーパー２０２に固定されており、かつ、可動キーパー２０２の移動を可動接点３３に伝達するために、スイッチングブロック１００の可動接点３３のアクチュエーション装置３４と協働することに適している。
【００８０】
このようにして、本発明の優先的な実施の形態によれば、カップリングフック２１４は、アクチュエーションブロック２００をスイッチングブロック１００に固定し、電磁気アクチュエータからの可動キーパー２０２の移動を、スイッチングブロック１００の単位スイッチングブロック８０の可動接点ブリッジ３３に伝達するように意図されている。
【００８１】
可動接点３３のアクチュエーション装置３４は、可動接点３３に定着された可動接点ホルダー３８を含んでいる。当該可動接点ホルダー３８は、アタッチメントヘッド５１に連結されている。本発明の実施の形態によれば、可動接点３３は、好ましくは、可動接点ホルダー３８に摺動可能に取り付けられている。
【００８２】
知られた解決策に反して、可動接点ホルダー３８は、単位スイッチングブロック８０の一体部分を形成しており、アクチュエーションブロック２００の電磁気アクチュエータの可動部の一部を形成していない。各単位スイッチングブロックは、その結果、可動接点３３に定着された可動接点ホルダー３８を含んでいる。図２に示すように、本発明によるモジュール接触器１のスイッチングブロック１００は、可動接点ホルダー３８をそれぞれ有する３つの単位スイッチングブロック８０を含んでいる。各単位スイッチングブロックは、その結果、他の単位ブロックに対して自立している働きを有している。
【００８３】
一実施の形態によれば、カップリングフック２１４は、閉じられた位置から開かれた位置への、および逆の場合も同様に、可動キーパー２０２の移動を可動接点に伝達するために適切な座面をそれぞれ含んでいる第１の縁部および第２の縁部を有する内表面を含んでいる。
【００８４】
カップリングフック２１４は、好ましくは、２つの実質的に平行な縁部を有するＣ形状の外形を有している。
【００８５】
カップリングフック２１４の第１の縁部は、接点ホルダー３８に定着されたアタッチメントヘッド５１を受け入れるように意図されたスロットを含んでいる。第１の縁部は、特には、可動キーパー２０２の閉じられた位置から、その開かれた位置への移動の第１の方向において、可動キーパー２０２の移動を可動接点３３の可動接点ホルダー３８に伝達するように意図された座面を含んでいる。第２の縁部は、特には、可動キーパー２０２の開かれた位置から、その閉じられた位置への移動の第２の方向において、可動キーパー２０２の移動を可動接点３３の可動接点ホルダー３８に伝達するように意図された座面を含んでいる。
【００８６】
本発明の一発展モードによれば、固定手段２１０は可動キーパー２０２に固定されるように意図されたトレイ２１１を含んでいる。特定の実施の形態によれば、トレイ２１１は、第１の面上に座ぐり（ｃｏｕｎｔｅｒｂｏｒｅ）を含んでいる。可動キーパー２０２の一部は、当該座ぐりに皿もみすること（ｃｏｕｎｔｅｒｓｉｎｋｉｎｇ）によって位置付けられるように意図されている。固定手段２１０は、座ぐりの壁と可動キーパー２０２の一部とを通過している取り外し可能な締付キー２１２を含んでいる。典型的な実施の形態として、トレイ２１１の座ぐりの形状は、可動キーパー２０２のＵ字形の可動キーパーの外側ブランチに定着された横キーパーを受け入れるために、実質的に長方形である。当該横キーパーは、可動キーパー２０２をトレイ２１１に固定したときに、取り外し可能な定着キー２１２の通路を可能にしている貫通穴を含んでいる。
【００８７】
特定の実施の形態によれば、トレイ２１１は、単位スイッチングブロック８０の可動接点３３に定着された可動接点ホルダー３８のアタッチメントヘッド５１とそれぞれ協働するように意図された３つのカップリングフック２１４を含んでいる。本発明のこの特定の実施の形態によれば、３つの単位スイッチングブロック８０は、その結果、単位スイッチングブロックに作用しているアクチュエーションブロック２００によって、同期された態様で制御されている。上述のように、単位スイッチングブロック８０は、同期されかつ同時に行われる態様、または同期されかつ非同時に行われる態様で制御され得る。各単位スイッチングブロック８０は、アクチュエーションブロック２００に連結されており、長手方向の軸Ｘに垂直な方向に可動接点３３を並進移動することによって、接点３２、３３の開放を制御している。可動接点ブリッジ３３は、電気接点の開放の位置と閉鎖の位置との間で移動する。
【００８８】
従来技術の解決策に反して、異なる単位スイッチングブロック８０の開放の調整は、アクチュエーションブロック２００によって直接的に作られており、特には、単位スイッチングブロックと連結した制御軸によるような、追加の手段によっては、直接的に作られていない。このようにして、本発明の解決策の効力によって、アクチュエーションブロック２００が固定ブロック１００から外されたとき、各単位スイッチングブロック８０は固定ブロック１００のベース１１０から直接的に取り外され得る。この取り外しは、他の単位スイッチングブロック８０とは独立して行われ得る。
【００８９】
本発明によるモジュール接触器１は、その結果、アクチュエーションブロック２００がスイッチングブロック１００と取り外し可能に固定することを可能にしているラピッド固定手段２１０を含んでいる。
【００９０】
優先的な実施の形態によれば、カップリングフック２１４は、スイッチングブロック１００上にアクチュエーションブロック２００を取り付けるために必要な遊びを除外することに適切な遊び吸収手段を含んでいる。
【００９１】
遊び吸収手段は、カップリングフック２１４の第２の縁部に実質的に平行に位置付けられた弾性ブレード２１３を含んでいる。当該弾性ブレード２１３は、可動接点３３に定着された可動接点ホルダー３８に連結されたアタッチメントヘッド５１と接触するとすぐに方向Ｚに変形することによって、ブレードダンパのように機能している。言い換えれば、遊び吸収手段は、モジュール接触器の電気的、または機械的手順の間中、異なる一部の相対移動を回避し得るように作られている。このようにして、遊び吸収手段は、機械的耐久性の高いレベルを達成し得る。図示しない変形例によれば、単一の遊び吸収ブレードが使用され得て、その結果、３つの単位スイッチングブロック全てに共通し得る。
【００９２】
図５Ａに示すように、一実施の形態によれば、弾性ブレード２１３は、トレイ２１１のハウジングに位置付けられている。弾性ブレード２１３は、好ましくは、金属製であり、折り曲げられることによって作られている。当該ブレードは、当該ブレードのいかなる移動をも制限するためのトレイ２１１の内側に配置されるように意図された位置決めスナッグを含んでいる。
【００９３】
弾性ブレード２１３は、二重機能を有している。一方では、トレイ２１１とアタッチメントヘッド５１との間の遊びを回収し、他方では、トレイ２１１と電磁気アクチュエータの可動キーパーとの間の遊びを回収し得る。弾性ブレード２１３の波状の形は、可動組立体２２０の軸にアタッチメントヘッド５１を配置する効果と、インストーラが２つの部分を互いに正しく組み合わせたことを確認するスナップ嵌め式の感覚またはハードポイント式の感覚を感じ得る効果を有している。
【００９４】
図４、図５および図６に示すように、本発明の一実施の形態によれば、単位スイッチングブロック８０の各可動ブリッジ３３は、電磁気アクチュエータの可動キーパー２０２のトレイ２１１のカップリングフック２１４に連結されるように意図されたアタッチメントヘッド５１を含んでいる。アタッチメントヘッド５１は、Ｃ字形のカップリングフック２１４の２つの縁部の座面に協働するように意図された座面を含んでいる。特定の一実施の形態によれば、アタッチメントヘッドは、カップリングフック２１４の２つの縁部の間に位置付けられるようになっている。アタッチメントヘッド５１は、伝達軸５２によって可動接点ホルダー３８に連結されている。伝達軸５２は、その結果、カップリングフック２１４の第１の縁部のスロットの内側に位置付けられるようになっている。
【００９５】
本発明の優先的な実施の形態によれば、アタッチメントヘッド５１の位置は、可動接点ブリッジ３３の移動方向、言い換えれば、長手方向の軸Ｘに垂直な方向に従って調整され得る。この調整は、２つの固定接点３２の電気接触領域３７と、可動接点３３の接触領域３６との間の接点圧縮行程を最適化し得る。
【００９６】
各単位スイッチングブロック８０の可動接点ブリッジ３３は、電気接点の開位置と閉位置との間で移動される。その目的は、与えられた移動行程にとって、電気接点が実際に閉鎖の位置にあるということを保証することである。移動行程は、アクチュエーションブロック２００の電磁気アクチュエータによって設定されている。
【００９７】
単位スイッチングブロック８０の製作公差に応じて、接点の開放の位置における固定接点３２から可動接点ブリッジ３３への分離距離は、一の単位スイッチングブロック８０と別のものとでは異なり得る。
【００９８】
このようにして、アクチュエーションブロック２００のアクチュエータの同一の移動行程として、可動接点ブリッジ３３の最終的な位置は異なり得る。多くの可動スイッチングブリッジ３３を同時に制御する単一のアクチュエータを有する多極接触器では、全ての可動スイッチングブリッジが、同じ閉鎖の位置に至らないこともあり得る。言い換えれば、一例として、他の単位スイッチングブロックの他の可動ブリッジ３３が既に閉鎖の位置にある一方で、単位スイッチングブロック８０の可動スイッチングブリッジ３３は、全体として閉鎖の位置にないこともあり得る。
【００９９】
接点の圧縮行程を設定することは、接点の閉鎖の位置で、アタッチメントヘッド５１と単位スイッチングブロック８０のケーシング３１との間において、機械的寸法が維持されることを保証することから成っている。より詳細には、接点の圧縮行程を設定することは、アタッチメントヘッド５１の座面と単位スイッチングブロック８０のケーシング３１の基準面との間において、寸法が維持されることを保証することから成っている。この寸法は、本発明による同一のモジュール接触器１の全ての単位スイッチングブロックのために、再現される。
【０１００】
圧縮行程は、アタッチメントヘッド５１を可動接点ホルダー３８に連結する伝達軸５２を使用することで設定されている。本発明の一実施の形態によれば、当該伝達軸５２は、可変長となっている。
【０１０１】
本発明の特定の実施の形態によれば、伝達軸５２は、アタッチメントヘッド５１に固定された第１の端部と、ねじ切りを含んだ第２の端部と、を含んでいる。ねじ切り（ｔｈｒｅａｄｉｎｇ）は、可動接点ブリッジ３３に定着された可動接点ホルダー３８に作られた、ねじ立て（ｔａｐｐｉｎｇ）と協働するように意図されている。事実上可動接点ホルダー３８へ伝達軸５２をねじ込むことによって、アタッチメントヘッド５１は、単位スイッチングブロック８０のケーシングに対して移動させられる。
【０１０２】
アタッチメントヘッド５１の典型的な実施の形態として、設定ツール（図示せず）と協働するように意図されている空洞が設けられている。設定ツールは、伝達軸５２の長さを設定することを求める使用者によって扱われるように意図されている。図２および図１０Ａに示すように、アタッチメントヘッドは、例えば、頭部がドーム状の輪郭を含み得る。図１６に示すように、アタッチメントヘッドは、例えば、六角形の輪郭を含み得る。
【０１０３】
単位スイッチングブロック８０の電気接点の圧縮行程を設定するための方法は、電気接点３２、３３の閉鎖の位置に可動接点ホルダー３８を配置することである。接点の圧縮行程は摩耗保護（ｗｅａｒ  ｇｕａｒｄ）とも呼ばれ得る。この働きは、一般に、単位スイッチングブロック８０のケーシング３１が、スイッチングブロック１１０のベース１１１に取り付けられる前に手動で行われる。次の工程は、ケーシング３１の外面と、アタッチメントヘッド５１の座面との間に設定テンプレート６００を位置付けることである。仮に、ケーシングとアタッチメントヘッド５１との間の距離が設定テンプレート６００の厚さよりも短く、かつ当該テンプレートの位置付けが不可能な場合、伝達軸５２は、特にケーシング３１に対してねじを緩めることによって延長される。反対に、ケーシング３１とアタッチメントヘッド５１との間の距離が設定テンプレート６００の厚さよりも長い場合、伝達軸５２は、特にケーシング３１に対してねじ込むことによって短縮される。伝達軸５２の長さが設定されたとき、設定テンプレート６００は取り外され得る。
【０１０４】
図６Ａおよび図６Ｂに示すように、設定方法の特定の実施の形態によれば、第１の工程は、特には最大までねじを緩めることによって、伝達軸５２の最大長さを増加することである。図７Ａおよび図７Ｂに示すように、第２の工程は、アタッチメントヘッド５１の座面と、単位スイッチングブロック８０のケーシング３１の基準面との間に設定テンプレート６００を位置付けることである。第３の工程では、可動接点ホルダー３８は、伝達軸５２のねじ込みによって電気接点３２、３３の閉鎖の位置にもたらされる。図８Ａおよび図８Ｂに示すように、アタッチメントヘッド５１は、設定テンプレート６００に支持されて終わり、可動接点ホルダー３８は閉鎖の位置に存在する。図９Ａおよび図９Ｂに示す最終工程では、設定テンプレート６００は取り外され、可動接点ホルダー３８は、電気接点３２、３３の開放の位置に位置付けられる。
【０１０５】
本発明の一実施の形態によれば、各単位スイッチングブロック８０で可変長の伝達軸５２の存在は、本発明によるモジュールスイッチング装置と同一の単位スイッチングブロックの可動接点３３の解放において、一時的なオフセットまたは同期することを創造し得る。
【０１０６】
モジュールスイッチング装置の電極の開放におけるこの時間オフセットは、特に他の２つに対して、意図的に進む１つの極の開放によって、３相の製品の開放での接触の摩耗を減少させ得る。
【０１０７】
実際には、３相スイッチングでは、他の２つよりも前にスイッチする１つの電極が常に存在している。他の２つの極は、第１のスイッチングに続いて単相となったネットワークを遮断している。オフセットは、その結果、零電流に対して同期され得る同一の極に常にスイッチオンする３相スイッチングを保証し得る。他の２つの極の開放は、これらの２つの極のアークタイムの最大値を減少するようにオフセットされている。
【０１０８】
モジュールスイッチング装置の電極の開放におけるこの時間オフセットは、ある４相アプリケーションにとって、相に対しては中性の開放において、前進または遅延を保証し得る。
【０１０９】
設定方法のもう１つの実施の形態によれば、この働きは、単一、２極、３極または４極ベースに位置付けられた全ての単位スイッチングブロック８０にとって、同時に行われ得る。その結果、多極に結合されたテンプレートが存在し、使用されている。この同一の実施の形態においては、１つ以上の極の開放における時間オフセットは、閉鎖が前進または遅延されるべき極のオフセットを組み込んでいるテンプレートによって、容易に作られ得る。
【０１１０】
このようにして、ラピッド固定手段の効力によって、アクチュエーションブロック２００に対してのスイッチングブロック１００の取り付けおよび／または解体は容易に行われ得て、例えば、特にはスイッチングブロックでのメンテナンス介入を促進する。
【０１１１】
さらに、スイッチングブロック１００のプリセットの単位スイッチングブロックに対するアクチュエーションブロック２００の基準位置決めは、接点の摩耗保護の大きく減少した公差を保証し、メンテナンス介入の一部として単位ブロックの交換の場合に保証し得る。接点の摩耗保護は、接点圧縮とも呼ばれている。これは、いかなる産業製品の製作公差にも関わらず、電気的持久力について低い公差を保証し、同時に、接点材料（銀ベース）の節約およびアクチュエータのより少ない消耗を可能にする、といった効果を有している。
【０１１２】
図２に示すように、本発明によるモジュール接触器１は、スイッチングブロックの接続ターミナル４５と接続されるように意図されている接続ターミナルブロック５００を含んでいる。
【０１１３】
図２８Ａおよび図３０Ｂに示すように、本発明の特定の実施の形態によれば、電気スイッチング装置１は、追加の取り外し可能な補助接点ブロック７００を含んでいる。これらのブロックは、取り外し可能といった特定の特徴を有している。
【０１１４】
取り外し可能な補助接点ブロック７００は、並進移動において移動しているトレイ２１１を介して可動組立体２２０の作動軸２１６によって、または、回転移動において移動している多機能のレバー２０５によって、開放を制御されている可動接点サポートＭＣＳを含んでいる。
【０１１５】
図２８Ａおよび図２８Ｂに示すように、典型的な実施の形態によれば、取り外し可能な補助接点ブロック７００は、電気スイッチング装置１の開かれた状態または閉じられた状態ＮＯ／ＮＣを指示するために、可動組立体２０２の並進移動によって制御されている。当該追加物のブロックは、インストールの位置に対して垂直に取り付けられている。
【０１１６】
図２９Ａおよび図２９Ｂに示すように、典型的な実施の形態によれば、取り外し可能な補助接点ブロック７００は、多機能のレバー２０５の回転移動によって制御されている。追加物のブロックは、インストールの位置に対して正面向きに取り付けられている。
【０１１７】
図３０Ａおよび図３０Ｂに示すように、変形例によれば、多機能のレバー２０５は、フラグタイプの特定の形状を介して、電気スイッチング装置１の開放の状態を指示する可能性を提供し得る。この電気スイッチング装置１の位置の機械的可視化は、フラグ２０８を含んだレバー２０５の移動角によって作られ得る。
【０１１８】
図２１および図２２に示すように、本発明は、上記で定義された２つのモジュール接触器１、２を含んだスイッチング組立体１０００に関している。スイッチング組立体１０００の当該モジュール接触器１、２は、主面の１つによって取り付けられるように並んで配置されている。さらに、２つのモジュール接触器１、２は、電気的に接続されている。スイッチング組立体１０００は、２つのモジュール接触器１、２の２つのベース１１０の第２の空洞１３０の内側にそれぞれ位置付けられた導電体３０１を含んでいる。第１のモジュール接触器１の電極を、第２のモジュール接触器２の電極に連結する導電体３０１は、剛体導電体３０１または半剛体導電体３０１を含んでいる。
【０１１９】
接続組立体の特定の実施の形態によれば、第２の空洞１３０の内部ボリュームは、図２１および図２２に示すように、反転スイッチモードによる２つのモジュール接点１、２を連結することに適切な反転バー３００のセットを受け入れるように意図されている。図２２に示すように、反転バー３００のセットによってセットされて連結された２つの接触器１、２は、３極タイプの接触器である。バー３００のセットは、その結果、２つの接触器の２つの接続ランド４５にそれぞれ連結された６つの反転バー３０１を含んでいる。図２１乃至図２７に示すように、スイッチング組立体１０００の導電体３０１は、３つの反転バー３０１をそれぞれ含んだ２つのグループ３００に配設されている。有利には、同一のグループ３００の導電体３０１は、クランプ３０２によって定着されている。
【０１２０】
単位スイッチングブロック８０の接続ランド４５で出現した第２の空洞１３０の各接続開口１３２は、反転バー３００のセットの反転バー３０１の１つによって通過されている。このようにして、各接続開口１３２は、ランドとバーとの間で電気接続が行われ得るように、接続ランド４５と平行な、反転バーの通路および位置決めを可能にしている。図２３乃至図２５に示すように、この第１の特定の実施の形態によれば、反転バー３００のセットの反転バー３０１の配置は、ベース１１０の外面を通じて行われる。反転バー３０１の端部を接続開口１３２内にスライドさせた後、バー３００のセットは、わずかに回転し、第２の空洞１３０の内側に位置付けられるようになる。
【０１２１】
図示しない第２の特定の実施の形態によれば、反転バー３００のセットの反転バー３０１の配置は、ベース１１０の側面を直接的に介して行われている。反転バー３００のセットは、それをその場所にスライドさせることによって、第２の空洞１３０のスロット内に位置付けられている。反転バー３０１の端部は、その結果、接続ランド４５に直接的に取り付けられている。
【０１２２】
３極反転スイッチモードは、とりわけ、電気モータの制御に適している。特定の実施の形態によれば、第１のモジュール接触器１の第１の電極の上流接続ランド４５は、第２のモジュール接触器２の第１の電極の上流接続ランド４５に連結されている。さらに、第１のモジュール接触器１の第１の電極の下流接続ランド４５は、第２のモジュール接触器２の第３の電極の下流接続ランド４５に連結されている。第１のモジュール接触器１の第２の電極の上流接続ランド４５は、第２のモジュール接触器２の第２の電極の上流接続ランド４５に連結されている。第１のモジュール接触器１の第２の電極の下流接続ランド４５は、第２のモジュール接触器２の第２の電極の下流接続ランド４５に連結されている。第１のモジュール接触器１の第３の電極の上流接続ランド４５は、第２のモジュール接触器２の第３の電極の上流接続ランド４５に連結されている。最後に、第１のモジュール接触器１の第３の電極の下流接続ランド４５は、第２のモジュール接触器２の第１の電極の下流接続ランド４５に連結されている。
【０１２３】
さらに、この実施の形態は、電源の反転が意図されている４極接触器（図示せず）に適用し得る。
【０１２４】
このようにして、本発明による２つのモジュール接触器の反転スイッチモードにおける接続モードによれば、バー３００の２つのセットは、接触器の内側に配置されている。この革新的な構造は、電気設備の総合的なボリュームを増加させないことができる。これは、電気キャビネットにおける接触器の配線のときにバーの外側（図１９）のセットの設備が問題を引き起こす従来技術の解決策よりも大きな利点を提供する。実際には、これらの電気キャビネットの内側の空間は常に制限されている。
【０１２５】
さらに、本発明によるモジュール接触器１、２の内側の反転バーのセットの構造は、図２１および図２２に示すように、２つのモジュール接触器１、２のうちの１つに測定および熱保護モジュール４００を組み込み得る。
【０１２６】
２つの接触器１、２のうちの一方への取り外し可能な熱保護モジュール４００の組み込みは、図１９に示すように、知られた配線では不可能である。実際には、使用者が、２つの接触器のうちの一方に熱保護（熱動継電器）を組み込むことによって、図１９に示すような反転スイッチタイプのモードで配置された２つの接触器の配線を変更しようとすると、図２０に示すように、非機能的な配線が得られる。実際には、この不満足な実施の形態によれば、モータが番号２の接触器によって電力供給されたとき、熱動継電器は、もはや電流フローではなく、それ故に、モータの熱状態を示し得ない。
【０１２７】
図２１および図２２に示すように、スイッチング組立体１０００のモジュール接触器２の一方は、いかなる取り外し可能な熱保護モジュール４００をも含まない。当該モジュール接触器２は、取り外し可能な熱保護モジュール４００を装備されていないスイッチングブロック１００と結合されるアクチュエーションブロック２００を含んでいる。
【０１２８】
本発明は、とりわけ、電子制御の接触器またはスタータータイプの多極スイッチング器具のために意図されている。これらの器具の単純化されたモジュール構造体のアーキテクチャは、装置のボリューム内の取り外し可能な熱保護および１つ以上のスイッチングブロックも受容し得る。この基本設計概念は、電気の、電子のまたは電気機械的であろうとなかろうと、様々なモジュール要素の容易にかつ分化したメンテナンスを可能にする。
【図１】
0006441230.tif 000002
【図２】
0006441230.tif 000003
【図３−４】
0006441230.tif 000004
【図５Ａ】
0006441230.tif 000005
【図５Ｂ】
0006441230.tif 000006
【図６Ａ】
0006441230.tif 000007
【図６Ｂ】
0006441230.tif 000008
【図７Ａ】
0006441230.tif 000009
【図７Ｂ】
0006441230.tif 000010
【図８Ａ】
0006441230.tif 000011
【図８Ｂ】
0006441230.tif 000012
【図９Ａ】
0006441230.tif 000013
【図９Ｂ】
0006441230.tif 000014
【図１０Ａ】
0006441230.tif 000015
【図１０Ｂ】
0006441230.tif 000016
【図１１】
0006441230.tif 000017
【図１２】
0006441230.tif 000018
【図１３】
0006441230.tif 000019
【図１４】
0006441230.tif 000020
【図１５】
0006441230.tif 000021
【図１６】
0006441230.tif 000022
【図１７】
0006441230.tif 000023
【図１８】
0006441230.tif 000024
【図１９】
0006441230.tif 000025
【図２０】
0006441230.tif 000026
【図２１】
0006441230.tif 000027
【図２２】
0006441230.tif 000028
【図２３】
0006441230.tif 000029
【図２４】
0006441230.tif 000030
【図２５】
0006441230.tif 000031
【図２６】
0006441230.tif 000032
【図２７】
0006441230.tif 000033
【図２８Ａ】
0006441230.tif 000034
【図２８Ｂ】
0006441230.tif 000035
【図２９Ａ】
0006441230.tif 000036
【図２９Ｂ】
0006441230.tif 000037
【図３０Ａ−３０Ｂ】
0006441230.tif 000038
【図３１Ａ】
0006441230.tif 000039
【図３１Ｂ】
0006441230.tif 000040